(57)【要約】【課題】  チャンネル切り替えにより自動的に様々なスライドショー再生を画像にテレビ装置等の画像表示装置のチャンネルを割り当てておき、チャンネル切り替えにより自動的に様々なスライドショー再生をなし得る画像のチャンネル割り当て方法、再生方法、保存・再生装置、及びプログラムの提供【解決手段】  保存・再生装置１００は、保存記録モードにおいて、図８（ａ）に示すように撮影装置２００から取り込んだ画像ファイル（圧縮画像データ）をその撮影情報に含まれるタイムスタンプを基に自動的にグループ化を行って図８（ｂ）に示すようにチャンネルに対応付けて保存メモリに保存する。また、再生モード時には、ユーザが選択したチャンネルに対応付けられて保存されている画像データを読出し、再生して対応する音声データと共にテレビ装置に送ってスライドショー表示させる。【選択図】  図８
2006101056.tif 000002
【特許請求の範囲】
【請求項１】
画像データを保存し、テレビ装置で再生するテレビ装置のチャンネル割り当て方法であって、
撮影装置から画像データ及び撮影情報を受信するステップと、受信した画像データを該撮影情報中の所定の情報を基に分類するステップと、分類した画像データをグループ単位で前記所定の撮影情報及び予め付加された分類情報に対応付けて保存メモリに保存するステップと、
予め登録されたチャンネル割り当て条件と前記グループ毎の所定の撮影情報及び分類情報とを照合するステップと、前記チャンネル割り当て条件と前記撮影情報及び分類情報が一致したグループの画像データを展開して前記テレビ装置のチャンネルに割り当てるステップと、前記展開した画像データとチャンネルとを対応付けたチャンネル割り当て情報を保存メモリに保存するステップと、
を備えたことを特徴とする画像データのチャンネル割り当て方法。
【請求項２】
前記画像データを展開してチャンネルに割り当てるステップは、展開した画像データにグループの区切り位置を設定して前記チャンネル割り当て情報に付加するステップを含むことを特徴とする請求項１記載の画像データのチャンネル割り当て方法。
【請求項３】
画像データを保存し、テレビ装置で再生する再生方法であって、
請求項１記載の画像データのチャンネル割り当て方法において保存したチャンネル割り当て情報を該保存メモリから読み出すステップと、選択されたチャンネルの画像データを前記読み出したチャンネル割り当て情報に基づいて前記保存メモリから読み出すステップと、前記読み出した画像データを連続再生するステップと、再生された画像データを前記テレビ装置に送ってスライドショー表示させるステップと、
を備えたことを特徴とする再生方法。
【請求項４】
画像データを保存し、テレビ装置で再生する再生方法であって、
請求項２記載の画像データのチャンネル割り当て方法において保存したチャンネル割り当て情報を該保存メモリから読み出すステップと、選択されたチャンネルの画像データを前記読み出したチャンネル割り当て情報に基づいて前記保存メモリから読み出すステップと、前記読み出したチャンネル割り当て情報に基づいて前記設定された区切り位置の画像データから連続再生するステップと、再生された画像データを前記テレビ装置に送ってスライドショー表示させるステップと、
を備えたことを特徴とする再生方法。
【請求項５】
更に、前記再生モードにおいてスライドショー表示された画像データを記憶するステップを備え、前記読み出した画像データを連続再生するステップは、チャンネルが切り替えられた際には、前記切り替えられたチャンネルに割り当てられた画像データのうち前記記憶されているスライドショー表示済みの画像データを再生しないようにして未表示の画像データを継続させて連続再生するステップを含む、
ことを特徴とする請求項３又は４記載の再生方法。
【請求項６】
前記テレビ装置はテレビジョン受信機であることを特徴とする請求項３乃至５のいずれか１項に記載のスライドショー再生方法。
【請求項７】
前記テレビ装置はビデオ装置であることを特徴とする請求項３乃至５のいずれか１項に記載の再生方法。
【請求項８】
前記テレビ装置はＤＶＤレコーダであることを特徴とする請求項３乃至５のいずれか１項に記載の再生方法。
【請求項９】
前記テレビ装置は前記画像を保存する保存・再生装置の表示装置であることを特徴とする請求項３乃至５のいずれか１項に記載の再生方法。
【請求項１０】
画像データを保存するデータ保存モードと、保存した画像データを再生してテレビ装置に送るスライドショー再生モードとを備えた保存・再生装置であって、
データ保存モードにおいて、
撮影装置から画像データ及び撮影情報を受信する画像データ受信手段と、
受信した画像データを前記受信した撮影情報中の所定の情報を基に分類する撮影情報分類手段と、
分類した画像データをグループ単位で前記所定の撮影情報及び予め付加された分類情報に対応付けて保存メモリに保存するグループ化手段と、
予め登録されたチャンネル割り当て条件情報と前記グループ毎の所定の撮影情報及び分類情報とを照合する照合手段と、
前記チャンネル割り当て条件情報と前記撮影情報及び分類情報が一致したグループの画像データを展開して前記テレビ装置のチャンネルに割り当てるチャンネル割り当て手段と、
前記展開した画像データとチャンネルとを対応付けたチャンネル割り当て情報を更新して保存メモリに保存するチャンネル割り当て情報更新手段と、
スライドショー再生モードにおいて、
前記チャンネル割り当て情報を保存メモリから読み出すチャンネル割り当て情報読み出し手段と、
チャンネルを選択するチャンネル選択手段と、
選択されたチャンネルの画像データを前記読み出したチャンネル割り当て情報に基づいて前記保存メモリから読み出す画像データ読み出し手段と、
前記読み出した画像データを連続再生する画像データ再生手段と、
再生された画像データを前記テレビ装置に送信する送信手段と、
を備えたことを特徴とする保存・再生装置。
【請求項１１】
前記チャンネル割り当て情報更新手段は、展開した画像データにグループの区切り位置を設定し、前記チャンネル割り当て情報に付加する手段を含み、
前記画像データ再生手段は、選択されたチャンネルの画像データを前記読み出したチャンネル割り当て情報に基づいて前記設定された区切り位置の画像データから連続再生する手段とを含む、
ことを特徴とする請求項１０記載の保存・再生装置。
【請求項１２】
更に、前記スライドショー再生モードにおいてスライドショー表示された画像データを記憶する表示済み画像データ記憶手段を備え、
前記画像データ再生手段は、チャンネルが切り替えられた際には、前記切り替えられたチャンネルに割り当てられた画像データのうち、前記記憶されているスライドショー表示済みの画像データの再生を禁止する手段を含む、ことを特徴とする請求項１１又は１２記載の保存・再生装置。
【請求項１３】
画像データを保存するデータ保存モードと、保存した画像データを再生してテレビ装置に送るスライドショー再生モードを備えた保存・再生装置において実行可能なプログラムであって、
データ保存モードにおいて、
撮影装置から送信される画像データ及び撮影情報を受信するプログラムステップと、
受信した画像データを受信した撮影情報中の所定の情報を基に分類するプログラムステップと、
分類した画像データをグループ単位で前記所定の撮影情報及び予め付加された分類情報に対応付けて保存メモリに保存するプログラムステップと、
予め登録されたチャンネル割り当て条件と前記グループ毎の所定の撮影情報及び分類情報とを照合するプログラムステップと、
前記チャンネル割り当て条件と前記撮影情報及び分類情報が一致したグループの画像データを展開して前記テレビ装置のチャンネルに割り当てるプログラムステップと、前記展開した画像データとチャンネルとを対応付けたチャンネル割り当て情報を保存メモリに保存するプログラムステップと、
スライドショー再生モードにおいて、
ユーザによって選択されたチャンネルを検出するプログラムステップと、
前記保存メモリに保存されているチャンネル割り当て情報を該保存メモリから読み出すプログラムステップと、
前記検出したチャンネルにおいて再生する画像データを前記読み出したチャンネル割り当て情報に基づいて前記保存メモリから読み出すプログラムステップと、前記読み出した画像データを連続再生するプログラムステップと、再生された画像データを前記テレビ装置に送るプログラムステップと、
を備えたことを特徴とするプログラム。
【発明の詳細な説明】
【技術分野】
【０００１】
本発明は、デジタルカメラで撮影した画像などを大量に保存する装置において、テレビジョン受信機などを用いて簡単に再生することのできる画像データのチャンネル割り当て方法、再生方法、保存・再生装置、及びプログラムに関する。
【背景技術】
【０００２】
従来、デジタルカメラで撮影した静止画像はデジタルカメラ本体に保存するか、メモリカードやパソコンに保存するのが一般的である。しかし、保存した画像をパソコンで家族みんなで見るには適当でなかった。すなわちメモリカードやパソコンは画像を保存することが主体であって鑑賞のために再生することが主体ではない。大勢で鑑賞するためにはプリントするのが一般的であった。
また、鑑賞の一手法として記録媒体に記録された静止画像を順次表示していくスライドショー機能がある。
【０００３】
スライドショーでは、記録媒体に記録されているすべての画像データを一定のインターバル時間で順次表示し、すべての画像データが表示された後には、また最初に表示した画像から繰り返し表示を行っていく方法がとられている。  
従来のスライドショーでは、（１）記録媒体内若しくはフォルダ内の画像のすべてを表示対象とするものや、（２）複数の静止画の中からユーザが予め選択した画像をユーザが予め選択した順番で自動またはマニュアルでスライドショー再生することのできるようにしたもの（例えば、特許文献１参照）や、（２）表示許可された画像のみをスライドショー表示するもの（例えば、特許文献２参照）や、（３）複数の画像をスライドショーに使用するための候補として表示し、その中から実際にスライドショーに使用する画像を選択してその順序を設定し、スライドショーにおける画像ファイルの表示順序を定義する順序テーブルを設定された順序に従って作成し、画像ファイルには手を加えることなく任意の表示順序のスライドショー表示を可能とするもの（例えば、特許文献３参照）がある。
【特許文献１】特開平１１−３３１７３９号公報
【特許文献２】特開２００３−２０９８０９号公報
【特許文献３】特開２００３−２８８０６８号公報
【発明の開示】
【発明が解決しようとする課題】
【０００４】
しかしながら、従来のスライドショーでは、撮影画像を保存・再生装置に保存する際に保存先の場所などをユーザが指定する必要があり、保存した撮影画像の管理をユーザがある程度行わなければならないといった課題があった。
【０００５】
また、スライドショー再生を行う際に、上記（１）の方法では記録媒体に記録される全画像データを順次表示していくので、表示したい画像以外の画像（表示しなくても良い画像と、表示したくない画像）も、順次、繰り返し表示されてしまい、表示したい画像のみのスライドショーは行えないといった課題があった。
【０００６】
また、上記（２）、（３）の方法では、ユーザがあらかじめ画像選択・指定操作を行っておくことにより表示したい画像のみのスライドショーを行うことができるが、新たに所望の画像群のスライドショーを行おうとする場合にはそのたびにユーザが画像選択・指定操作を行わねばならず、そのために画像の保存先やスライドショーを実行する画像を指定したりなど面倒な操作が毎回必要であり利便性が低いといった課題があった。
【０００７】
ここで、画像を保存する際にチャンネル割り当てを行って再生装置に保存し、チャンネルを指定するとそのチャンネルに対応する画像をテレビ装置等の表示装置にスライドショー再生するようにすれば、表示したい画像のスライドショー再生ができるし、従来技術のようにスライドショー再生行する画像を指定したりするといった面倒な操作をしなくても済むので、ユーザの利便性を高めることが期待できる。
【０００８】
本発明は、チャンネル切り替えにより自動的に様々なスライドショー再生を画像にテレビ装置等の画像表示装置のチャンネルを割り当てておき、チャンネル切り替えにより自動的に様々なスライドショー再生をなし得る画像のチャンネル割り当て方法、再生方法、保存・再生装置、及びプログラムの提供を目的とする。
【課題を解決するための手段】
【０００９】
上記課題を解決するために、請求項１に記載の発明では、画像データを保存し、テレビ装置で再生するテレビ装置のチャンネル割り当て方法であって、撮影装置から画像データ及び撮影情報を受信するステップと、受信した画像データを該撮影情報中の所定の情報を基に分類するステップと、分類した画像データをグループ単位で前記所定の撮影情報及び予め付加された分類情報に対応付けて保存メモリに保存するステップと、予め登録されたチャンネル割り当て条件と前記グループ毎の所定の撮影情報及び分類情報とを照合するステップと、前記チャンネル割り当て条件と前記撮影情報及び分類情報が一致したグループの画像データを展開して前記テレビ装置のチャンネルに割り当てるステップと、前記展開した画像データとチャンネルとを対応付けたチャンネル割り当て情報を保存メモリに保存するステップと、を備えたことを特徴とする画像データのチャンネル割り当て方法を提供する。  
これにより、予め、保存されるデータをチャンネルに割り当てるようにしたことにより、デジタルカメラ等の撮影装置から送信される画像データを保存する度に自動的にテレビ装置のチャンネルに画像データが割り当てられるのでユーザは保存されている画像データの状況を自ら管理しなくてもよい。つまり、画像の保存先を指定したりなど面倒な操作を要しない。
【００１０】
また、請求項２に記載の発明では、画像データを展開してチャンネルに割り当てるステップは、展開した画像データにグループの区切り位置を設定して前記チャンネル割り当て情報に付加するステップを含むことを特徴とする請求項１記載の画像データのチャンネル割り当て方法を提供する。
これにより、再生位置の画像データ単位での移動が可能となる。また、グループ単位で再生位置を変更することも可能となる。
【００１１】
また、請求項３に記載の発明では、画像データを保存し、テレビ装置で再生する再生方法であって、請求項１記載の画像データのチャンネル割り当て方法において保存したチャンネル割り当て情報を該保存メモリから読み出すステップと、選択されたチャンネルの画像データを前記読み出したチャンネル割り当て情報に基づいて前記保存メモリから読み出すステップと、前記読み出した画像データを連続再生するステップと、再生された画像データを前記テレビ装置に送ってスライドショー表示させるステップと、を備えたことを特徴とする再生方法を提供する。
これにより、チャンネルが選択されると当該チャンネルに対応付けて展開された画像データを順番に連続再生し、テレビ装置に送ってスライドショー表示させることができる。
【００１２】
また、請求項４に記載の発明では、画像データを保存し、テレビ装置で再生する再生方法であって、請求項２記載の画像データのチャンネル割り当て方法において保存したチャンネル割り当て情報を該保存メモリから読み出すステップと、選択されたチャンネルの画像データを前記読み出したチャンネル割り当て情報に基づいて前記保存メモリから読み出すステップと、前記読み出したチャンネル割り当て情報に基づいて前記設定された区切り位置の画像データから連続再生するステップと、再生された画像データを前記テレビ装置に送ってスライドショー表示させるステップと、を備えたことを特徴とする再生方法を提供する。  
これにより、スライドショーの再生位置の画像データ単位で再生位置を変えての移動が可能となので、テレビ装置に表示されるスライドショーの再生位置を画像データ単位で移動できる。また、グループ単位で再生位置を変更することもできる。
【００１３】
また、請求項５に記載の発明では、更に、再生モードにおいてスライドショー表示された画像データを記憶するステップを備え、読み出した画像データを連続再生するステップは、チャンネルが切り替えられた際には、切り替えられたチャンネルに割り当てられた画像データのうち記憶されているスライドショー表示済みの画像データを再生しないようにして未表示の画像データを継続させて連続再生するステップを含む、ことを特徴とする請求項３又は４記載の再生方法を提供する。  
これにより、せっかくチャンネルを切り替えたのに切り替え先のチャンネルでも既に視聴したスライドショーを見るようなことが生じないので、視聴者はチャンネル切り替えにより新たなスライドショーを楽しむことができる。
【００１４】
また、請求項６に記載の発明は、テレビ装置はテレビジョン受信機であることを特徴とする請求項３乃至５のいずれか１項に記載の再生方法を提供する。  
これにより、視聴者はテレビ放送を見るような感覚でスライドショーを楽しむことができる。
【００１５】
また、請求項７に記載の発明では、テレビ装置はビデオ装置であることを特徴とする請求項３乃至５のいずれか１項に記載の再生方法を提供する。  
これにより、視聴者はビデオ装置で気に入ったスライドショーを繰り返して見ることができる。
【００１６】
また、請求項８に記載の発明では、テレビ装置はＤＶＤレコーダであることを特徴とする請求項３乃至５のいずれか１項に記載の再生方法を提供する。  
これにより、これにより、視聴者はＤＶＤレコーダで気に入ったスライドショーを繰り返して見ることができる。
【００１７】
また、請求項９に記載の発明では、テレビ装置は前記画像を保存する保存・再生装置の表示装置であることを特徴とする請求項３乃至５のいずれか１項に記載の再生方法を提供する。  
これにより、テレビ装置を外部保存・再生装置に接続しなくてもよく、表示部と保存・再生部を一体形成できるので、移動が簡単であり、所望の環境でスライドショーを視聴することができる。
【００１８】
また、請求項１０に記載の発明では、画像データを保存するデータ保存モードと、保存した画像データを再生してテレビ装置に送るスライドショー再生モードとを備えた保存・再生装置であって、データ保存モードにおいて、撮影装置から画像データ及び撮影情報を受信する画像データ受信手段と、受信した画像データを受信した撮影情報中の所定の情報を基に分類する撮影情報分類手段と、分類した画像データをグループ単位で所定の撮影情報及び予め付加された分類情報に対応付けて保存メモリに保存するグループ化手段と、予め登録されたチャンネル割り当て条件情報とグループ毎の所定の撮影情報及び分類情報とを照合する照合手段と、チャンネル割り当て条件情報と撮影情報及び分類情報が一致したグループの画像データを展開してテレビ装置のチャンネルに割り当てるチャンネル割り当て手段と、展開した画像データとチャンネルとを対応付けたチャンネル割り当て情報を更新して保存メモリに保存するチャンネル割り当て情報更新手段と、スライドショー再生モードにおいて、チャンネル割り当て情報を保存メモリから読み出すチャンネル割り当て情報読み出し手段と、チャンネルを選択するチャンネル選択手段と、選択されたチャンネルの画像データを読み出したチャンネル割り当て情報に基づいて保存メモリから読み出す画像データ読み出し手段と、読み出した画像データを連続再生する画像データ再生手段と、再生された画像データをテレビ装置に送信する送信手段と、を備えたことを特徴とする保存・再生装置を提供する。  
これにより、予め保存されるデータをテレビ装置のチャンネルに割り当てる設定を保存・再生装置に持たせたことにより、デジタルカメラ等の撮影装置から送信される画像データを保存する度に自動的にチャンネルに画像データが割り当てられるのでユーザは保存されている画像データの状況（フォルダなどの情報やスライドショーする画像の選択）を自ら管理しなくてもよい。また、スライドショー再生モードではチャンネルを選択するだけで様々なスライドショーの視聴を楽しむことができる。
【００１９】
また、請求項１１に記載の発明では、チャンネル割り当て情報更新手段は、展開した画像データにグループの区切り位置を設定し、チャンネル割り当て情報に付加する手段を含み、画像データ再生手段は、選択されたチャンネルの画像データを読み出したチャンネル割り当て情報に基づいて設定された区切り位置の画像データから連続再生する手段とを含む、ことを特徴とする請求項１０記載の保存・再生装置を提供する。  
これにより、スライドショーの再生位置の画像データ単位で再生位置を変えての移動が可能となので、保存・再生装置はスライドショーの再生位置を画像データ単位で移動できる。また、グループ単位で再生位置を変更することもできる。
【００２０】
また、請求項１２に記載の発明では、更に、スライドショー再生モードにおいてスライドショー表示された画像データを記憶する表示済み画像データ記憶手段を備え、画像データ再生手段は、チャンネルが切り替えられた際には、切り替えられたチャンネルに割り当てられた画像データのうち、記憶されているスライドショー表示済みの画像データの再生を禁止する手段を含む、ことを特徴とする請求項１０又は１１に記載の保存・再生装置を提供する。
これにより、せっかくチャンネルを切り替えたのに切り替え先のチャンネルでも既に視聴したスライドショーを見るようなことが生じないので、視聴者はチャンネル切り替えにより新たなスライドショーを楽しむことができる。
【００２１】
また、請求項１３に記載の発明では、画像データを保存するデータ保存モードと、保存した画像データを再生してテレビ装置に送るスライドショー再生モードを備えた保存・再生装置において実行可能なプログラムであって、データ保存モードにおいて、撮影装置から送信される画像データ及び撮影情報を受信するプログラムステップと、受信した画像データを受信した撮影情報中の所定の情報を基に分類するプログラムステップと、分類した画像データをグループ単位で所定の撮影情報及び予め付加された分類情報に対応付けて保存メモリに保存するプログラムステップと、予め登録されたチャンネル割り当て条件とグループ毎の所定の撮影情報及び分類情報とを照合するプログラムステップと、チャンネル割り当て条件と撮影情報及び分類情報が一致したグループの画像データを展開してテレビ装置のチャンネルに割り当てるプログラムステップと、展開した画像データとチャンネルとを対応付けたチャンネル割り当て情報を保存メモリに保存するプログラムステップと、スライドショー再生モードにおいて、ユーザによって選択されたチャンネルを検出するプログラムステップと、保存メモリに保存されているチャンネル割り当て情報を該保存メモリから読み出すプログラムステップと、検出したチャンネルにおいて再生する画像データを読み出したチャンネル割り当て情報に基づいて保存メモリから読み出すプログラムステップと、読み出した画像データを連続再生するプログラムステップと、再生された画像データをテレビ装置に送るプログラムステップと、を備えたことを特徴とするプログラムを提供する。  
これにより、保存・再生装置は、データ保存モードでデジタルカメラ等の撮影装置から送信される画像データを受信すると自動的にテレビ装置のチャンネルに画像データを割り当ることができる。またスライドショー再生モードでチャンネルが選択されると、当該チャンネルに対応付けて展開された画像データを順番に連続再生し、テレビ装置に送ってスライドショー表示させることができる。
【発明の効果】
【００２２】
予め、個々のチャンネルに割り当てられる画像データの分類を自動的にチャンネルに割り当てることができるので、ユーザは保存メモリ内での画像データの保存状況（例えば、フォルダ名等）を知らなくてもチャンネル選択／切り替えという簡単な操作で様々な画像のスライドショーを視聴することができる。
【発明を実施するための最良の形態】
【００２３】
本発明は、撮影した画像データに付随するタイムスタンプ等のメタデータ（metadata：データを記述するためのデータ；本明細書では撮影情報）や後述する付加情報から自動的にグループ化を行ってチャンネルに割り当てて保存・再生装置に保存し、スライドショー再生時にはユーザがチャンネルを選択すると選択されたチャンネルに割り当てられている画像グループをテレビ装置等の画像表示装置にスライドショー再生する。なお、以下の説明ではメタデータとしてタイムスタンプ（撮影日時）を用いるがグループ化に用いるメタデータはタイムスタンプに限定されない。
なお、以下の説明ではスライドショーが楽曲又は音声を伴う例について述べるものとし、画像データとは撮影画像の画像データ及び画像に対応付けられている音声データをいうものとする。なお、音声データが対応付けられていない場合（画像データのみの場合）も説明上、単に、画像データと記す。
【００２４】
図１は保存・再生装置によるチャンネル選択によるスライドショー再生の概略説明図であり、符号１００、５００は保存・再生装置、符号１３０はテレビジョン受信機１２０であり、符号２００はデジタルカメラ（図１）、符号２５０はデジタルカメラ２００を装着したクレードル、符号３００はパソコンである。
クレードル２５０と保存・再生装置１００はＵＳＢケーブル２６０で接続可能である。また、保存・再生装置１００はテレビジョン受信機１２０等のテレビ装置とケーブル１４０を介して接続可能である。更に、保存・再生装置１００（５００）とパソコン３００はＬＡＮケーブル（又は無線ＬＡＮ）３１０を介してＬＡＮ（Local Area Network）接続可能であり、パソコン３００はＡＤＳＬ（Asymmetric Digital Subscriber Line）を介してインターネット（図示せず）と接続可能である。なお、保存・再生装置１００（５００）とパソコン３００はＵＳＢケーブルで接続するようにしてもよい。
【００２５】
（実施形態１）  
本実施形態では、図１１に示すように、テレビ装置のチャンネルを切り替えると保存・再生装置に保存されている画像グループが再生され、テレビ装置でスライドショー表示される。
【００２６】
＜１−１．保存・再生装置＞    
保存・再生装置１００は保存・記録モードでデジタルカメラ２００等の撮影装置から直接又はクレードル１５０を介して転送される画像データ及び撮影情報を取り込み、画像データをタイムスタンプ等のメタデータや付加情報から自動的にグループ化を行ってチャンネルに割り当て保存メモリ２２（図２）に保存記録する。
また、スライドショー再生モードではユーザがリモコン装置１５０でテレビジョン受信機１２０のチャンネルを選択すると保存・再生装置１００は選択されたチャンネルに割り当てられている画像データグループ中の画像データを保存メモリ２２から取り出して再生し、音声データと共にテレビ装置１３０に送ってスライドショー表示させる。
【００２７】
また、保存・再生装置１００は保存・記録モードでＬＡＮケーブル３１０等を介して転送される画像データ及び撮影情報を取り込み撮影情報中のタイムスタンプ等のメタデータから自動的にグループ化を行ってチャンネルに割り当て保存メモリ２２に保存記録することもできる。また、スライドショー再生モードでは選択されたチャンネルの画像データグループを撮影情報と共に読み出し、ＬＡＮケーブル３１０等を介してパソコン３００に送信し、パソコン３００側でスライドショー表示を行わせることもできる。更に、パソコン３００はＡＤＳＬを介してインターネットと接続し、再生装置１００からスライドショー再生データを送信し、インターネットに接続する表示装置や閲覧サイトに保存することもできる。
【００２８】
図２は本実施形態における保存・再生装置１００の電子回路構成例を示すブロック図であり、保存・再生装置１００は、制御部１０、操作部１１、設定部１２、ＵＳＢ部１３、ＤＲＡＭ２０、ＪＰＥＧ回路２１、保存メモリ２２、ＶＲＡＭ２３、ＶＲＡＭコントローラ２４、デジタルビデオエンコーダ２５、及びテレビ装置１３０とケーブル接続するためのケーブル接続部（図示せず）を備えている。また、図２で符号１３０はテレビ装置を示す。
【００２９】
制御部１０は、ＣＰＵ、ＲＡＭ、プログラム格納用ＲＯＭおよびタイマー等の計時機構を備えたマイクロプロセッサ構成を有しており、ＣＰＵは、上述の各回路および図示しない電源スイッチ等にバスラインを介して接続し、プログラム格納用ＲＯＭに格納されている制御プログラムにより保存・再生装置１００全体の制御を行なうと共に、操作部１１からの状態信号に対応してプログラム格納用ＲＯＭに格納されている各モードに対応の動作プログラムを取り出して、保存・再生装置１００の各機能の実行制御、例えば、保存する画像データの自動的なグループ化とチャンネル割り当て制御、指定されたチャンネルに割り当てられている画像データグループのスライドショー再生制御等を行う。
【００３０】
また、制御部１０は、保存記録モードにおいて、ＵＳＢ部１３を介して外部撮影装置（本実施例ではデジタルカメラ２００（図１））からＤＲＡＭ２０に取り込んだ１フレーム分の画像ファイル（圧縮画像データ）をその撮影情報に含まれるタイムスタンプ（撮影日付）を基に自動的にグループ化を行って保存メモリ２２に保存する。
【００３１】
また、スライドショー再生モード時には、ユーザが選択したチャンネルに割り当てられている画像データグループに対応付けられて保存メモリ２２に記録されている画像データを読出し、ＪＰＥＧ回路２１でデータ圧縮手順とまったく逆の手順で圧縮画像データを伸張させ、伸張した画像データをＶＲＡＭコントローラ２４を介してＶＲＡＭ２３に展開して記憶させた上で、デジタルビデオエンコーダ２５にＶＲＡＭ２３から定期的に読出させ、これらの画像データを元にビデオ信号を生成させ、対応する音声データがある場合はその音声データと共にテレビ装置１３０に送ってスライドショー表示させる。
【００３２】
操作部１１は、電源キー１１１、モード選択ダイヤル１１２、チャンネル選択ボタン１１３等のキーから構成され、それらのキー操作に伴う信号は直接制御部１０に送出される。チャンネル選択ボタン１１３はチャンネル番号を表示した複数個のボタンを備え、ユーザがあるボタンを押すと押されたボタンに対応付けられたチャンネル番号に対応する信号が制御部１０に送出され、指定されたチャンネルに割り当てられている画像データグループのスライドショー再生が実行される。
【００３３】
設定部１２は図４に示すようなグループ毎の付加情報の設定及び図５に示すようなチャンネル毎のパターンの設定を行うために用いられ、付加情報やパターンを設定するための複数の設定キー１２１及び付加情報の設定入力を促すメッセージやガイド表示を行うための液晶表示部１２２を有している。
【００３４】
ＵＳＢ部１３はデジタル通信ケーブル等のＵＳＢケーブルを接続する場合に用いるＵＳＢインターフェイスであり、保存・記録モードにおいてデジタルカメラ２００等の撮影装置から直接、又はクレードル２５０等の転送装置を介してから送信される画像データ及び撮影情報等を受信する。なお、外部からの画像データ受信部として図１３に示すようにＵＳＢ部１３の外に（或いはＵＳＢ部１３に代えて）赤外線通信やブルートゥース等の近距離通信部１４や無線によりデータを送受信する無線通信部１５を設けるようにしてもよい。
【００３５】
ＤＲＡＭ２０は作業用メモリとして用いられ、受信した画像データを一時的に記憶する画像バッファ領域や付加情報テーブル記憶領域や、スライドショーチャンネル管理テーブル記憶領域、チャンネル割り当てテーブル記憶領域、ＪＰＥＧ伸張時時の作業用領域等が確保される。
【００３６】
ＪＰＥＧ回路（Joint Photgraph cording Experts Group）２１はＡＤＣＴ（Adaptive Discrete Cosine Transform：適応離散コサイン変換）、エントロピ符号化方式であるハフマン符号化等の逆処理により圧縮画像データを伸張する。なお、本実施例では圧縮データを伸張するための圧縮データ伸張部としてＪＰＥＧ回路２１を用いるようにしたが、ＪＰＥＧ回路２１の代わりによく知られた圧縮データ伸張プログラムを用いるようにしてもよい。
【００３７】
保存メモリ２２はフラッシュメモリやハードディスク等の記録媒体からなり画像データ（圧縮画像データ及び音声データ）と撮影情報を保存記録する。また、付加情報テーブル４０（図４）やスライドショーチャンネル管理テーブル５０（図５）、チャンネル割り当てテーブル６０（図６）等を保存記録する。なお、フラッシュメモリに代えてメモリカードのように着脱可能な記憶媒体を用いるようにしてもよい。
【００３８】
デジタルビデオエンコーダ２５は、ＪＰＥＧ回路２１でデータ圧縮手順とまったく逆の手順で伸張された画像データをＶＲＡＭコントローラ２４を介してＶＲＡＭ２３に展開して記憶させた上で、ＶＲＡＭ２３から定期的に読出し、これらの画像データを元にビデオ信号を生成してテレビ装置１３０に送って再生出力させる。なお、テレビ装置１３０がデジタル入出力表示装置の場合はデジタルビデオエンコーダ２５は不要である。
【００３９】
テレビ装置１３０は、本実施例ではテレビジョン受信機１２０等の外部表示装置であり、ケーブル３１を介して保存・再生装置と接続してデジタルビデオエンコーダ２５からのビデオ信号に基づいた表示を行うことで、その時点でＶＲＡＭコントローラ２４から取込んでいる画像データに基づく画像をスライドショー表示することになる。
なお、保存・再生装置１００としてパーソナルコンピュータ（以下、パソコン）やデジタルカメラ或いは表示装置付きクレードル等の画像表示装置を用いることもできる。この場合にはテレビ装置１３０はＶＲＡＭ２３、ＶＲＡＭコントローラ２４、デジタルビデオエンコーダ２５、及び液晶モニタ画面を含むハードウエアとして保存・再生装置１００の構成要素の一つとなる。
【００４０】
＜１−２．画像データのグループ化＞    
図３は画像データのグループ化の原理を示す説明図であり、図３の上段に示されている複数の矩形はデジタルカメラ２００等の撮影装置で撮影され撮影装置側の保存メモリに保存記録されている各画像データを示す。そして、下段に示すように、保存記録モードで、デジタルカメラ２００に保存されている画像データはタイムスタンプ（撮影日付；ＹＹＹＹ／ＭＭ／ＡＡ、ＹＹＹＹ／ＭＭ／ＢＢ、ＹＹＹＹ／ＭＭ／ＣＣ、・・）によって自動的に分類され、撮影日付が同じ画像データは保存・再生装置２００の保存メモリ２２に撮影日付毎に自動設定されるフォルダに対応付けて記録される。
なお、本実施例ではグループ化を行うためのメタデータをタイムスタンプとしたがグループ化を行うためのメタデータはタイムスタンプに限定されない。
【００４１】
＜１−３．グループ毎の付加情報＞    
図４は付加情報テーブルの一実施例を示す図であり、付加情報テーブル４０は画像データを保存メモリ２２に登録する際にグループ（実施例ではタイムスタンプ別）毎に設定された付加情報をグループ別に登録し、スライドショー再生時にテレビジョン受信機１２０等のテレビ装置のチャンネル番号が選択される（又は切り替えられる）とスライドショーチャンネル管理テーブル５０（図５）のテーブルデータと突合して保存されているグループ毎のデータを割り当てるために用いられる。付加情報テーブル４０は保存メモリ２２の付加情報テーブル記憶領域に保存される。
【００４２】
図４で付加情報テーブル４０は、グループのタイムスタンプを記憶する撮影年月日欄４１、スライドショーとして視聴された回数を記憶する視聴回数欄４２、画像データの所有者を記憶する所有者欄４３、撮影者、レジャー、スポーツ、イベント、性別、風景、利用目的、・・・等々のようなユーザの任意の分類基準（分類１、分類２、・・・分類ｎ）を登録する分情報登録欄４４−１、４４−２、・・・４４−ｎからなる付加情報データを複数記憶してなる。  
付加情報テーブル４０で、フォルダ「ＹＹＹＹ／ＭＭ／ＡＡ」の撮影年月日欄４１には撮影日付「ＹＹＹＹ／ＭＭ／ＡＡ」が、視聴回数欄４２には「０」が、所有者欄４３には「共通」が分類１、分類２、・・・分類ｎにはｎｕｌｌ（無効情報、この場合はユーザによる分類が設定されていないことを意味する）が登録されている。また、フォルダ「ＹＹＹＹ／ＭＭ／ｂｂ」の撮影年月日欄４１には撮影日付「ＹＹＹＹ／ＭＭ／ＢＢ」が、視聴回数欄４２には「１」が、所有者欄４３には「父親」が分類１には「釣り」が、分類２、・・・分類ｎにはｎｕｌｌが登録されている。
【００４３】
＜１−４．スライドショーチャンネル管理テーブル＞    
図５はスライドショーチャンネル管理テーブルの構成例を示す図である。スライドショーチャンネルはチャンネル番号欄５１（図５の例ではＶＨＦ波にならって１２チャンネルとしているがチャンネルの数は１２に限定されない）、保存されているグループ毎のデータを割り当てるパターン欄５２、画像データの所有者欄５３、ユーザの任意の分類基準（分類１、分類２、・・・分類ｎ）からなる分情報登録欄５４−１、５４−２、・・・５４−ｎからなるスライドショーチャンネルデータを複数記憶してなる。
【００４４】
ここで、パターン欄５１の内容、つまり、パターンによって保存メモリ２２に保存されているグループ（実施例では１グループ１フォルダとしてグループに属する画像データはフォルダに対応付けて記憶される）の中から再生されるグループが規定されるものとする。図５の例に示した下記（１）〜（６）のパターンについて説明すると、  
（１）「最新」とは、所有者が一致するグループをすべて割り当てる設定であることを意味する。図５のチャンネル１の例では、所有者は「共通」であり分類情報の指定はないので、スライドショー再生時には保存メモリ２２に保存されているグループの中から画像データの所有者が「共通」のグループ、つまり、付加情報テーブル４０の所有者欄４３の内容が「共通」を意味しているグループがすべて時系列に再生される。  
（２）「未視聴」とは、所有者が一致し、且つ、視聴回数が０回のグループをすべて割り当てる設定であることを意味する。図５のチャンネル３の例では、所有者は「共通」であり分類情報の指定はないので、スライドショー再生時には保存メモリ２２に保存されているグループの中から画像データの所有者が「共通」であり、視聴回数が０のグループ、つまり、付加情報テーブル４０の視聴回数欄４２の内容が「０」で且つ所有者欄４３の内容が「共通」を意味しているグループが再生される。  
（３）「ランキング」とは、所有者が一致したグループをすべて視聴回数順に割り当てる設定であることを意味する。図５のチャンネル４の例では、所有者は「共通」であり分類情報の指定はないので、スライドショー再生時には保存メモリ２２に保存されているグループの中から画像データの所有者が「共通」のグループ、つまり、付加情報テーブル４０所有者欄４３の内容が「共通」を意味しているグループが視聴回数順に再生される。  
（４）「メモリアル」とは、所有者欄５３および分類情報登録欄５４−１、５４−２、・・・５４−ｎに登録されているタイムスタンプに一致するグループをすべて時系列に割り当てる設定であることを意味する。図５のチャンネル５の例では、所有者は「共通」であり分類１、つまり分類情報登録欄５１−１の指定が「２００４年」なので、スライドショー再生時には保存メモリ２２に保存されているグループの中から画像データの所有者が「共通」であり、タイムスタンプが２００４年のグループ、つまり、付加情報テーブル４０の所有者欄４３の内容が「共通」を意味し、分情報登録欄４４−１の内容が「２００４年」のグループがすべて再生される。  
（５）「分類」とは、所有者が一致し、且つ、分類の内容を含むグループをすべて時系列に割り当てる設定であることを意味する。図５のチャンネル７の例では、所有者は「共通」であり分類１、つまり分類情報登録欄５１−１の指定が「誕生日」なので、スライドショー再生時には保存メモリ２２に保存されているグループの中から画像データの所有者が「共通」であり、誕生日がテーマのグループ、つまり、付加情報テーブル４０の所有者欄４３の内容が「共通」を意味し、分情報登録欄４４−１の内容が「誕生日」のグループがすべて再生される。  
（６）「カスタム」とはユーザの任意で割り当てるグループを選択できる設定（この場合は選択されたリストファイル「ＳＳ００１」が分情報登録欄に記憶される）。
パターン欄５１の内容は上記（１）〜（６）に示した例に限定されず、これらのほかにもグループに設定された付加情報（図４）の設定に従ってパターンを増減することができる。
【００４５】
＜１−５．保存データのチャンネル割り当て方法＞    
図６は保存データに対するチャンネル割り当て方法及びチャンネル割り当てテーブルの説明図である。  
図６（ａ）は保存メモリ２２に保存されている画像データグループ６１−１、６１−２、・・・、６１−ｎを示し、各画像データグループに属する保存データはタイムスタンプ毎に設定されたフォルダ（ＹＹＹ／ＭＭ／ＡＡ、ＹＹＹ／ＭＭ／ＢＢ、・・・・、ＹＹＹ／ＭＭ／ＺＺ）に対応付けられて記憶されており、各グループには図４に示したような付加情報が設定され、付加情報テーブル４０に登録されている。  
また、図６（ｂ）はチャンネル割り当てテーブルの一実施例を示す図であり、保存・記録モード終了時にスライドショーチャンネル管理テーブル５０の付加情報と図４に示したような付加情報テーブル４０の付加情報とが比較され、スライドショーチャンネル管理テーブル５０のパターン条件に一致するデータグループの格納場所（実施例ではフォルダ）のアドレスが各チャンネルに対応付けてチャンネル割り当てテーブル６０の各チャンネル割り当てデータに記憶される（つまり、該当するフォルダが対応付けられる）。
【００４６】
図６（ｂ）の例で、チャンネル１にはパターンが「最新」で所有者が「共通」のデータグループ６１−１、６１−３、６１−４、６１−５、・・・、６１−ｎのフォルダが時系列に対応付けられ、チャンネル２にはパターンが「最新」で所有者が「父親」のデータグループ６１−２、６１ー６、６１−８、６１−１９のフォルダが対応付けられ、チャンネル３にはパターンが「未視聴」で所有者が「共通」のデータグループ６１−２、６１ー６、６１−８、６１−１９のフォルダが対応付けられ、・・・、チャンネル１２にはパターンが「カスタム」であるからリストファイル「ＳＳ００１」のデータグループ６１−２、６１ー６、６１−８、６１−１９のフォルダが対応付けられる。
【００４７】
＜１−６．保存記録モードにおける保存・再生装置の動作例＞  
図７は保存記録モードにおける保存・再生装置の動作例を示すフローチャートであり、図８は保存記録モードにおけるデータの遷移（保存データの保存からチャンネル割り当てまで）の説明図である。また、図８で、（ａ）はグループ化、（ｂ）はチャンネル割り当てを示す。以下、図１〜図６、及び図８を基に保存記録モードにおける保存・再生装置１００の動作について説明する。
【００４８】
図７で、デジタルカメラ２００と保存・再生装置１００がＵＳＢケーブル２６０で接続された旨の信号を保存・再生装置１００のＵＳＢ部１３から受け取ると（ステップＳ１）、制御部１０は操作部１１からの信号を調べ、ユーザがモード選択ダイヤル１１２を操作して保存記録モードを選択した場合はステップＳ３に進む（ステップＳ２）。
【００４９】
保存記録モードで制御部１０はデジタルカメラ２００から受信する画像データ等がある場合はステップＳ４に進み、受信データが終了した場合はステップＳ１２に進む（ステップＳ３）。  
デジタルカメラ２００から画像データ等を受信した場合は、保存メモリ２２に保存されている付加情報テーブル４０の撮影年月日欄４１の内容（年月日）と受信した画像データの撮影情報中のタイムスタンプを比較し、一致した場合はステップＳ５に進み一致しない場合はステップＳ６に進む（ステップＳ４）。  
タイムスタンプが一致した場合は、受信した画像データを図８（ａ）に示すようにタイムスタンプが同じフォルダに対応付けて保存メモリに保存し、ステップＳ３に戻る（ステップＳ５）。
【００５０】
タイムスタンプが一致しない場合は、新たにタイムスタンプに対応付けられたフォルダを設定し（ステップＳ６）、受信した画像データをそのフォルダに対応付けて保存メモリに保存すると共に（ステップＳ７）、及び所有者及び分類１〜分類ｎ等の付加情報の設定用のガイドやメッセージを液晶表示部１２２に表示して付加情報の入力を促し、付加情報の入力が終了すると（ステップＳ８）、視聴回数を０（ゼロ）に設定してから（ステップＳ９）、図４に示したような付加情報データを生成し（ステップＳ１０）、上記ステップＳ６で生成したフォルダに対応付けて保存メモリ２２に保存されている付加情報テーブル４０に追加してステップＳ３に戻る（ステップＳ１１）。
【００５１】
デジタルカメラ２００からの受信データがすべて終了した場合は、制御部１０は図８（ｂ）に示すようなスライドショーチャンネル管理テーブル５０のパターン条件毎にスライドショーチャンネル管理テーブルの付加情報５０と図４に示したような各保存データグループの付加情報を比較し（ステップＳ１２）、条件等が一致するデータグループの格納場所のアドレスを対応するテレビジョン受信機１２０のチャンネルに対応付けてチャンネル割り当てテーブル６０の各チャンネル割り当てデータに追加し（つまり、新たな画像グループとしてフォルダを対応付け）、処理を終了する（ステップＳ１３）。
【００５２】
チャンネルの概念により予め保存されるデータにチャンネルを割り当てる設定を保存・再生装置１００に持たせたことにより、上記図７のフローチャートに示すように、デジタルカメラ２００等の撮影装置から送信される画像データを保存するたびに自動的にテレビジョン受信機１２０のチャンネルに画像データが割り当てられるので、ユーザは保存されている画像データの状況（フォルダなどの情報やスライドショーする画像の選択）を自ら管理しなくてもスライドショー再生モードでスライドショーを楽しむことができる。
【００５３】
＜１−７．スライドショー再生方法＞  
図９はスライドショー再生モードにおける保存データの再生方法の説明図であり、図９（ａ）は選択されたチャンネルに割り当てられたデータグループを示し、図９（ｂ）はスライドショー再生のために展開された保存データを示す概念図である。
スライドショー再生モードにおいてチャンネルが選択されると、保存メモリ２２に保存されているチャンネル割り当てテーブル６０を読み出し、選択されたチャンネル（図９（ａ）の例ではチャンネル１）に割り当てられた各グループ内の画像データを図９（ｂ）に示すようにグループの並び順（実施例ではタイムスタンプ順）に従って順次個々の画像データに展開し、先頭データから再生してスライドショー表示可能にする。つまり、図９（ｂ）に示すチャプター１の最初の画像データから順に保存メモリ２２から読み出してＤＲＡＭ２０に一時記憶し、圧縮画像データに伸張処理を施しビデオ信号に変換して音声データが対応付けられている場合はその音声データと共にテレビジョン受信機１２０に送信する動作をチャプターＮの最後の画像データまで繰り返す。この時、グループ間の位置を記憶しておくことでスライドショーの再生位置を画像データ単位で移動させる他に、グループ単位で再生位置を変更することができる。
【００５４】
＜１−８．保存・再生装置におけるスライドショー再生動作例＞  
図１０は保存・再生装置におけるスライドショー再生動作を示すフローチャートであり、図１１はスライドショー再生時におけるチャンネル切り替えの説明図である。また、図１１で符号１５０はリモコン装置を示す。以下、図１〜図６、及び図１１を基にスライドショー再生モードにおける保存・再生装置１００の動作について説明する。
図１０で、ユーザがリモコン装置１５０を操作しスライドショー再生モードを選択すると、保存・再生装置１００の近距離通信部１４を介してスライドショー再生モード選択信号が制御部１０に送られるので、制御部１０は近距離通信部１４からの信号を調べスライドショー再生モードが選択された場合はステップＴ２に進む（ステップＴ１）。  
また、図１１に示すようにユーザがリモコン装置１５０でテレビジョン受信機１２０のチャンネルを選択すると、チャンネル選択信号がビデオ出力ケーブル１４０を介して保存・再生装置１００に、保存・再生装置のＵＳＢ部１３から制御部１０に送られるので、制御部１０は近距離通信部１４からの信号を調べチャンネルが選択された場合はステップＴ３に進む（ステップＴ２）。
【００５５】
制御部１０は保存メモリ２２に保存されているチャンネル割り当てテーブル６０を読み出し（ステップＴ３）、選択されたチャンネルに割り当てられている各グループ内の画像データをグループの並び順（実施例ではタイムスタンプ順）に従って保存メモリ２２から読み出して画像データに展開してＤＲＡＭ２０に一時記憶し（ステップＴ４）、データグループが替った場合はそのグループの付加情報データの視聴回数欄４２の内容に１を加えて付加情報テーブル６０を更新し（ステップＴ５）、ＤＲＡＭ２０に記憶した画像データを読み出してＪＰＥＧ回路２１を制御して伸張処理を施させ（ステップＴ６）、伸張した画像データをＶＲＡＭコントローラ２４を介してＶＲＡＭ２３に展開して記憶させた上で（ステップＴ７）、デジタルビデオエンコーダ２５にＶＲＡＭ２３から読出させてこれらの画像データを元にビデオ信号を生成させ（ステップＴ８）、テレビ装置１３０に送ってテレビ装置１３０に送ってスライドショー表示させる。なお、対応する音声データがある場合はビデオ信号と共にその音声データをテレビ装置１３０に送ってスライドショー表示させる（ステップＴ９）。
【００５６】
また、制御部１０は近距離通信部１４からの信号を調べチャンネルが切り替えられた場合はステップ１２に進み（ステップＴ１０）、そうでない場合は更には近距離通信部１４からの信号を調べスライドショー再生終了指示が出された場合は処理を終了し、そうでない場合は次の保存データを読み出すためにステップＴ４に戻る（ステップＴ１１）。
【００５７】
チャンネルが切り替えられた場合は、チャンネル切り替えにより選択されたチャンネルに割り当てられている各グループ内の画像データをグループの並び順に従って保存メモリ２２から読み出して画像データに展開してＤＲＡＭ２０に一時記憶し（ステップＴ１２）、この画像データが今回のスライドショー再生モード下で既にテレビ装置１３０に送信済みのデータか否かを調べ送信済みの場合はステップＴ１２に戻る（つまり、スライドショー再生済みの画像の場合は再生をスキップするようにし、未再生の画像データから再生を継続するようにする）。また、ステップＴ６〜Ｔ１２の処理を行わせるためにステップＴ５に戻る（ステップＴ１３）。
【００５８】
上記図１０のフローチャートに示す動作により、保存・再生装置はステップＴ２〜Ｔ９に示したようにテレビジョン受信機１２０側で切り替えたチャンネル番号に従って当該チャンネルで展開された画像データを順番に連続再生し、テレビ装置１３０に送ってスライドショー表示させることができるので、ユーザはテレビ放送を見る感覚でスライドショーを楽しむことができる。
【００５９】
図１１の上段はユーザがリモコン装置１５０でテレビジョン受信機のチャンネル１（チャンネル番号１）を選択した例であり、指定されたチャンネル番号に従って当該チンネルで展開された画像データが順番に再生される様子を示しているが、下段に示すようにまた、スライドショーの再生中にチャンネルが切り替えられた場合（図１１の例ではチャンネル１からチャンネル４に切り替えられている）は、ステップＴ６〜Ｔ８に示したと同様に切り替えられたチャンネルで展開された画像データを再生するが、そのとき、ステップＴ１２、Ｔ１３に示したように以前のチャンネルで再生した画像は再生を禁止して（例えば、スキップして）未再生の画像データから再生を継続する。なお、以前再生した画像データか否かを調べるために、例えば、スライドショーモード実行時に、ＤＲＡＭ２０に再生した画像データのファイル番号等の画像識別情報を保持し、読み出した画像データの画像識別情報と比較すればよく、画像識別情報が一致する場合にはスキップすることができる。
【００６０】
なお、上記ステップＴ４〜Ｔ９の例では１画像分の画像データを保存メモリから読み出し、１画像分ずつ再生して表示装置に送信するように構成したが、ＤＲＡＭ２０（一時記憶メモリ）の容量が十分大きい場合には、上記ステップＴ４で１グループ分の画像データを保存メモリから読み出してＤＲＡＭに一時記憶し、一時記憶した画像データをすべて伸張処理してから順次再生処理して表示装置に送信するように構成してもよい。
【００６１】
また、上記図１０のフローチャート及び上記図１１説明では、ユーザがリモコン装置１５０でテレビジョン受信機のチャンネルを選択すると保存・再生装置１００側で選択されたチャンネルに対応する画像グループをスライドショー再生し、テレビジョン受信機１２０側に送ってスライドショーするようにしたが、テレビジョン受信機１２０側のリモコン装置でスライドショー再生チャンネルを切り替えるにはテレビジョン受信機のリモコン装置のメーカーコードを保存・再生装置のメーカーコードに切り替えておけばよいがこれに限定されない。  
例えば、保存・再生装置１００側で各メーカのテレビジョン受信機のリモコンコードを記憶して認識するように構成してもよいし、いわゆる「学習リモコン」（例えば、特開平７−１８４２８４参照）のようにリモコン装置１５０の操作ボタンに対応付けてボタンに様々な送信コードを記憶させておき、一つのリモコンでテレビジョン受信機１２０も保存・再生装置１５０も操作できるようにしてもよい。
【００６２】
（グループ化の変形例）  
図１２は画像データのグループ化の変形例の説明図である。図１２（ａ）の例は撮影画像「１」、「２」、・・・・・、「７」、「８」をタイムスタンプによりグループ化し、グループＡ、Ｂ、Ｃを得てあるチャンネルにグループＡ、Ｂを割り当て、スライドショー再生モードで保存データを展開した例を示す。この場合、展開される保存データは撮影画像「１」、「２」、「３」、「４」、「５」、「６」となる。  
また、図１２（ｂ）の例は撮影画像「１」、「２」、・・・・・、「７」、「８」を撮影間隔によりグループ化し、グループＡ’、Ｂ’、Ｃ’を得てあるチャンネルにグループＡ’、Ｂ’、Ｃ’を割り当て、スライドショー再生モードで保存データを展開した例を示す。この場合、展開される保存データも図１２（ａ）の場合と同様のメタデータ（この例ではタイムスタンプ）によって順に展開された撮影画像「１」、「２」、「３」、「４」、「５」、「６」となる。
【００６３】
つまり、上記図３〜図１１の説明でグループ化をタイムスタンプで行うものとしたが、保存データが同じメタデータを持っていれば、図１２に示すようにグループ化後の割り当てにおいて結果として画像データの再生順序は同じとなることから、撮影画像のグループ化の際、撮影時間の間隔からグループ化を変化させたり、デジタルカメラ等の撮影装置にグループ化を指定する機能を持たせることなどにより、図４で示した付加情報と合わせてグループ化を細かく設定できるようにしてもよい。
【００６４】
（実施形態２）
本実施形態では、図１４に示すように、保存・再生装置のチャンネルを切り替えると保存・再生装置に保存されている画像グループが再生され、テレビ装置でスライドショー表示される。  
また、本実施形態では、保存・再生装置の構成の一部が実施形態１の保存・再生装置１００と異なり、ユーザによるチャンネル切り替え指示の対象がテレビジョン受信機１２０ではなくて保存・再生装置５００である点で実施形態１と異なる以外は、つまり、画像データのグループ化（図３）〜保存データのチャンネル割り当て方法（図６）、保存記録モードにおける保存・再生装置の動作（図７、図８）、及びスライドショー再生方法（図９）は実施形態１と同様である。
【００６５】
＜２−１．保存・再生装置＞    
保存・再生装置５００は保存・記録モードでデジタルカメラ２００等の撮影装置から直接又はクレードル１５０を介して転送される画像データ及び撮影情報を取り込み、画像データをタイムスタンプ等のメタデータや付加情報から自動的にグループ化を行ってチャンネルに割り当て保存メモリ２２（図２）に保存記録する。  
また、スライドショー再生モードではユーザがリモコン装置１５０で保存・再生装置５００のチャンネルを選択すると保存・再生装置５００は選択されたチャンネルに割り当てられている画像データグループ中の画像データを保存メモリ２２から取り出して再生し、音声データと共にテレビ装置１３０に送ってスライドショー表示させる。
【００６６】
また、保存・再生装置１００は保存・記録モードでＬＡＮケーブル３１０等を介して転送される画像データ及び撮影情報を取り込み撮影情報中のタイムスタンプ等のメタデータから自動的にグループ化を行ってチャンネルに割り当て保存メモリ２２に保存記録することもできる。また、スライドショー再生モードでは選択されたチャンネルの画像データグループを撮影情報と共に読み出し、ＬＡＮケーブル３１０等を介してパソコン３００に送信し、パソコン３００側でスライドショー表示を行わせることもできる。更に、パソコン３００はＡＤＳＬを介してインターネットと接続し、再生装置１００からスライドショー再生データを送信し、インターネットに接続する表示装置や閲覧サイトに保存することもできる。
【００６７】
図１３は本実施形態における保存・再生装置の電子回路構成例を示すブロック図であり、保存・再生装置５００は、制御部１０、操作部１１、設定部１２、ＵＳＢ部１３、ＤＲＡＭ２０、ＪＰＥＧ回路２１、保存メモリ２２、ＶＲＡＭ２３、ＶＲＡＭコントローラ２４、デジタルビデオエンコーダ２５、及びテレビ装置１３０とケーブル接続するためのケーブル接続部（図示せず）を備えるほか、外部からの画像データ受信部としてＵＳＢ部１３の外に（或いはＵＳＢ部１３に代えて）赤外線通信やブルートゥース等の近距離通信部１４を備えている。ない、無線によりデータを送受信する無線通信部１５を設けるようにしてもよい。また、図１３で符号１３０はテレビジョン受信機等のテレビ装置を示す。この保存・再生装置５００の構成のうち、制御部１０〜テレビ装置１３０の構成は図２に示した保存・再生装置１００と同様であり、説明を省略する。
【００６８】
近距離通信部１４は操作部１１に代えてリモコン装置からモード選択やチャンネル選択等を行なったり、設定部１２に代えてグループ毎の付加情報の設定及びチャンネル毎のパターンの設定を行う際のリモコン指示受信部としても機能させることができる。
【００６９】
＜２−２．保存・再生装置におけるスライドショー再生動作例＞  
保存・再生装置におけるスライドショー再生動作は実施形態１において図１０に示した保存・再生装置１００の動作を示すフローチャートのうち、ステップＴ１以外のステップ（つまり、ステップT３〜ステップＴ１３）は同様である。  
すまわち、本実施形態では、図１０のステップＴ２を「図１４に示すようにユーザがリモコン装置１５０で保存・再生装置５００のチャンネルを選択するか、保存・再生装置の操作部１１のチャンネル選択ボタン１１３を操作してチャンネルを選択すると選択されたチャンネル番号に対応する信号が制御部１０に送出されるので、制御部１０は近距離通信部１４からの信号を調べチャンネルが選択された場合はステップＴ３に進む（ステップＴ２）。」ように構成する。
【００７０】
図１４は本実施形態におけるスライドショー再生時のチャンネル切り替えの説明図である。  
図１４の上段はユーザがリモコン装置１５０で保存・記録装置５００のチャンネル１（チャンネル番号１）を選択した例であり、指定されたチャンネル番号に従って当該チンネルで展開された画像データが順番に再生される様子を示しているが、下段に示すようにまた、スライドショーの再生中にチャンネルが切り替えられた場合（図１１の例ではチャンネル１からチャンネル４に切り替えられている）は、ステップＴ６〜Ｔ８に示したと同様に切り替えられたチャンネルで展開された画像データを再生するが、そのとき、ステップＴ１２、Ｔ１３に示したように以前のチャンネルで再生した画像は再生を禁止して（例えば、スキップして）未再生の画像データから再生を継続する。なお、以前再生した画像データか否かを調べるために、例えば、スライドショーモード実行時に、ＤＲＡＭ２０に再生した画像データのファイル番号等の画像識別情報を保持し、読み出した画像データの画像識別情報と比較すればよく、画像識別情報が一致する場合にはスキップすることができる。なお、保存・再生装置５００のチャンネルは上述したようにユーザが操作部１１のチャンネル選択ボタン１１３を操作して切り替えてもよい。
【００７１】
なお、図１１のステップＴ５〜Ｔ９の例では１画像分の画像データを保存メモリから読み出し、１画像分ずつ再生して表示装置に送信するように構成したが、ＤＲＡＭ２０（一時記憶メモリ）の容量が十分大きい場合には、上記ステップＴ５で１グループ分の画像データを保存メモリから読み出してＤＲＡＭに一時記憶し、一時記憶した画像データをすべて伸張処理してから順次再生処理して表示装置に送信するように構成してもよい。
【００７２】
上記各実施形態の説明では、テレビ装置１３０として、テレビジョン受信機１２０を例としたが、テレビ装置という語は、いわゆるテレビ放送を受信するテレビジョン受信機に限られれず、ビデオレコーダやＤＶＤレコーダにも適用できる。また、別体のテレビジョン受信機に再生装置を接続したものに限られず、再生装置自体にモニタ装置を備えたものも含む。
【００７３】
また、上記各実施形態では保存・再生装置を専用装置として説明したが、本発明は保存・再生装置として電子カメラや撮像装置、携帯情報端末、パソコン、画像記憶部を備えた通信端末、画像記憶部を備えたクレードル、などにも適用できる。
以上、本発明のいくつかの実施例について説明したが本発明は上記各実施例に限定されるものではなく、種々の変形実施が可能であることはいうまでもない。
【図面の簡単な説明】
【００７４】
【図１】保存・再生装置によるチャンネル選択によるスライドショー再生指示の概略説明図である。
【図２】保存・再生装置の電子回路構成例を示すブロック図である。
【図３】画像データのグループ化の原理を示す説明図である。
【図４】付加情報テーブルの一実施例を示す図である。
【図５】スライドショーチャンネル管理テーブルの構成例を示す図である。
【図６】保存データに対するチャンネル割り当て方法及びチャンネル割り当てテーブルの説明図である。
【図７】保存記録モードにおける保存・再生装置の動作例を示すフローチャートである。
【図８】保存記録モードにおけるデータの遷移（保存データの保存からチャンネル割り当てまで）の説明図である。
【図９】スライドショー再生モードにおける保存データの再生方法の説明図である。
【図１０】保存・再生装置におけるスライドショー再生動作を示すフローチャートである。
【図１１】実施形態１におけるスライドショー再生時のチャンネル切り替えの説明図である。
【図１２】画像データのグループ化の変形例の説明図である。
【図１３】実施形態２における保存・再生装置の電子回路構成例を示すブロック図である。
【図１４】実施形態２におけるスライドショー再生時のチャンネル切り替えの説明図である。
【符号の説明】
【００７５】
１０  制御部（撮影情報分類手段、グループ化手段、照合手段、チャンネル割り当て手段、チャンネル割り当て更新手段、画像データ読み出し手段）
１１  操作部（チャンネル選択手段）
１２  設定部
１３  ＵＳＢ部（画像データ受信手段、送信手段））
１４  近距離通信手段（画像データ受信手段）
１５  無線通信手段（画像データ受信手段）
２０  ＤＲＡＭ（表示済み画像データ記憶手段）
２２  保存メモリ
２３  ＶＲＡＭ
２４  ＶＲＡＭコントローラ（画像データ再生手段）
２５  デジタルビデオエンコーダ（画像データ再生手段）
４０  付加情報テーブル（撮影情報分類手段）
５０  スライドショーチャンネル管理テーブル（チャンネル条件）
６０  チャンネル割り当てテーブル（チャンネル割り当て情報）
１００  保存・再生装置
１２０  テレビジョン受信機（テレビ装置）
１３０  テレビ装置
２００  デジタルカメラ（撮影装置）
【図１】
2006101056.tif 000003
【図２】
2006101056.tif 000004
【図３】
2006101056.tif 000005
【図４】
2006101056.tif 000006
【図５】
2006101056.tif 000007
【図６】
2006101056.tif 000008
【図７】
2006101056.tif 000009
【図８】
2006101056.tif 000010
【図９】
2006101056.tif 000011
【図１０】
2006101056.tif 000012
【図１１】
2006101056.tif 000013
【図１２】
2006101056.tif 000014
【図１３】
2006101056.tif 000015
【図１４】
2006101056.tif 000016